(57)【要約】【課題】装着されているコンバーターレンズに応じてカメラを自動的に設定すること。【解決手段】コンバーターレンズ検出部１０４ａは、撮像素子１０３から入力される画像信号に基づいて画像データを生成し、画像データに対応する画像内に含まれる画像パターンに基づいて、カメラ１００へのコンバーターレンズ２００の装着の有無を判定する。カメラ設定部１０４ｂは、コンバーターレンズ２００が装着されていると判定された場合には、コンバーターレンズ２００を用いた撮影に適した撮影条件となるように、カメラ１００を設定する。【選択図】図１
2009093103.tif 000002
【特許請求の範囲】
【請求項１】
コンバーターレンズを装着可能なカメラであって、
前記コンバーターレンズ、および撮影光学系を通して入力された光の像を撮像して画像信号を取得する撮像素子と、
前記撮像素子から出力される前記画像信号に基づいて、画像データを生成する画像データ生成手段と、
前記画像データに対応する画像内に含まれる画像パターンに基づいて、カメラへの前記コンバーターレンズの装着の有無を判定する装着有無判定手段と、
前記装着有無判定手段によって、前記コンバーターレンズが装着されていると判定された場合には、前記コンバーターレンズを用いた撮影に適した撮影条件となるように、カメラを設定する設定手段とを備えることを特徴とするカメラ。
【請求項２】
請求項１に記載のカメラにおいて、
前記コンバーターレンズには、広角撮影用のワイドバーターレンズと、望遠撮影用のテレコンバーターレンズとがあり、
前記装着有無判定手段によって、前記コンバーターレンズが装着されていると判断した場合に、装着されている前記コンバーターレンズが、前記テレコンバーターレンズであるか、あるいは前記ワイドコンバーターレンズであるかを判定するコンバーターレンズ種別判定手段をさらに備え、
前記設定手段は、前記コンバーターレンズ種別判定手段による判定結果に基づいて、カメラに装着されている前記コンバーターレンズの種類に応じた設定を行うことを特徴とするカメラ。
【請求項３】
コンバーターレンズを装着可能なカメラであって、
前記コンバーターレンズ、および撮影光学系を通して入力された光の像を撮像して画像信号を取得する撮像素子と、
前記撮像素子から出力される前記画像信号に基づいて、画像データを生成する画像データ生成手段と、
前記画像データに対応する画像内に含まれる画像パターンに基づいて、カメラへの前記コンバーターレンズの装着の有無を判定する装着有無判定手段と、
前記装着有無判定手段によって前記コンバーターレンズが装着されていると判断された場合には、その旨を表示装置に表示する表示制御手段とを備えることを特徴とするカメラ。
【請求項４】
請求項３に記載のカメラにおいて、
前記表示制御手段は、前記装着有無判定手段によって前記コンバーターレンズが装着されていると判断された場合には、使用者に対して、前記コンバーターレンズを用いた撮影に適した撮影条件となるようなカメラの設定を行うことを促すためのメッセージを前記表示装置に表示することを特徴とするカメラ。
【請求項５】
請求項１または３に記載のカメラにおいて、
前記画像パターンは、前記コンバーターレンズの遮光時にも光学系を通して光が入射するように前記コンバーターレンズの先端部分に設けられた開口部、または前記コンバーターレンズのレンズキャップに設けられた開口部を通して入射される光によって前記画像内に現れるパターンであることを特徴とするカメラ。
【請求項６】
請求項１または３に記載のカメラにおいて、
前記撮像素子による撮像時に発光する発光手段をさらに備えることを特徴とするカメラ。
【請求項７】
請求項２に記載のカメラにおいて、
前記撮像素子による撮像前に、前記撮影光学系の焦点距離を、前記装着有無判断手段が前記ワイドコンバーターレンズの装着の有無を判定することが可能な画像を前記撮像素子が取得することができる焦点距離に設定する焦点距離設定手段をさらに備えることを特徴とするカメラ。
【請求項８】
請求項１〜７のいずれか一項に記載のカメラに装着するためのコンバーターレンズ。
【請求項９】
カメラに装着されるコンバーターレンズであって、
前記コンバーターレンズの遮光時にも光学系を通して光が入射するように前記コンバーターレンズの先端部分に開口部を備えることを特徴とするコンバーターレンズ。
【発明の詳細な説明】
【技術分野】
【０００１】
本発明は、撮影を行うためのカメラ、およびカメラに装着するコンバーターレンズに関する。
【背景技術】
【０００２】
次のようなカメラが知られている。このカメラは、コンバーターレンズが取り付けられたことを検出して、カメラの設定を変更する（例えば、特許文献１）。
【０００３】
【特許文献１】特開２００５−３１６２２７号公報
【発明の開示】
【発明が解決しようとする課題】
【０００４】
しかしながら、従来のカメラは、コンバーターレンズの種類に応じたカメラの設定は、使用者が手動で行わなければならなかった。また、使用者は、カメラへのコンバーターレンズの装着の有無を判断するためには、カメラの鏡筒側を確認する必要があった。
【課題を解決するための手段】
【０００５】
本発明によるカメラは、コンバーターレンズ、および撮影光学系を通して入力された光の像を撮像して画像信号を取得し、画像信号に基づいて画像データを生成し、画像データに対応する画像内に含まれる画像パターンに基づいて、カメラへのコンバーターレンズの装着の有無を判定し、コンバーターレンズが装着されていると判定された場合には、コンバーターレンズを用いた撮影に適した撮影条件となるように、カメラを設定することを特徴とする。
本発明では、コンバーターレンズには、広角撮影用のワイドバーターレンズと、望遠撮影用のテレコンバーターレンズとがあり、コンバーターレンズが装着されていると判断した場合に、装着されているコンバーターレンズが、テレコンバーターレンズであるか、あるいはワイドコンバーターレンズであるかを判定し、判定結果に基づいて、カメラに装着されているコンバーターレンズの種類に応じたカメラの設定を行うようにしてもよい。
本発明によるカメラはまた、コンバーターレンズ、および撮影光学系を通して入力された光の像を撮像して画像信号を取得し、画像信号に基づいて画像データを生成し、画像データに対応する画像内に含まれる画像パターンに基づいて、カメラへのコンバーターレンズの装着の有無を判定し、コンバーターレンズが装着されていると判断された場合には、その旨を表示装置に表示することを特徴とする。
コンバーターレンズが装着されていると判断された場合には、使用者に対して、コンバーターレンズを用いた撮影に適した撮影条件となるようなカメラの設定を行うことを促すためのメッセージを表示装置に表示するようにしてもよい。
画像パターンは、コンバーターレンズの遮光時にも光学系を通して光が入射するようにコンバーターレンズの先端部分に設けられた開口部、またはコンバーターレンズのレンズキャップに設けられた開口部を通して入射される光によって画像内に現れるパターンであることが好ましい。
撮像時に発光素子を発光させるようにしてもよい。
撮像前に、撮影光学系の焦点距離を、ワイドコンバーターレンズの装着の有無を判定することが可能な画像を取得することができる焦点距離に設定するようにしてもよい。
本発明によるコンバーターレンズは、上記いずれかのカメラに装着するためのものであることを特徴とする。
本発明によるコンバーターレンズはまた、コンバーターレンズの遮光時にも光学系を通して光が入射するようにコンバーターレンズの先端部分に開口部を備えることを特徴とする。
【発明の効果】
【０００６】
本発明によれば、コンバーターレンズの装着に応じて、カメラの設定を自動的に行うことができる。また、使用者はモニタの表示内容を見るだけでカメラへのコンバーターレンズの装着有無を容易に確認することができる。
【発明を実施するための最良の形態】
【０００７】
図１は、本実施の形態におけるカメラの一実施の形態の構成を示すブロック図である。カメラ１００は、操作部材１０１と、レンズ鏡筒１０２と、撮像素子１０３と、制御装置１０４と、メモリカードスロット１０５と、モニタ１０６とを備えている。操作部材１０１は、使用者によって操作される種々の入力部材、例えば電源ボタン、レリーズスイッチ、ズームボタン、十字キー、決定ボタン、再生ボタン、削除ボタンなどを含んでいる。
【０００８】
レンズ鏡筒１０２は、複数の光学レンズから構成される。撮像素子１０３は、例えばＣＣＤやＣＭＯＳであり、レンズ鏡筒１０２の複数の光学レンズを通して入力された光の像を電気信号に変換して画像信号を取得して、制御装置１０４へ出力する。
【０００９】
制御装置１０４は、撮像素子１０３から入力される画像信号に基づいて、画像データを生成する。また、制御装置１０４は、生成した画像データをＥｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルに格納してメモリカードスロット１０５へ出力する。
【００１０】
メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。モニタ１０６は、カメラ１００の背面に搭載された液晶モニタ（背面モニタ）であり、当該モニタ１０６には、メモリカードに記憶されている画像やカメラ１００を設定するための設定メニューなどが表示される。
【００１１】
制御装置１０４は、ＣＰＵ、メモリ、およびその他の周辺回路により構成され、コンバーターレンズ検出部１０４ａと、カメラ設定部１０４ｂとを機能的に備えている。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４により実行されるプログラムやプログラム実行時に読み込まれる種々のパラメータなどが記録されている。
【００１２】
本実施の形態におけるカメラ１００には、コンバーターレンズを取り付けることができる。図２は、カメラ１００にコンバーターレンズ２００を取り付けた状態を示した図である。図２（ａ）および（ｂ）に示すように、コンバーターレンズ２００は、カメラ１００のレンズ鏡筒１０２に装着され、被写体像は、コンバーターレンズ２００を通してレンズ鏡筒１０２の撮影光学系へ入射される。このコンバーターレンズ２００には、レンズを保護するためのレンズキャップ２０１が装着可能である。
【００１３】
また、コンバーターレンズ２００には、レンズキャップ２０１を装着した状態でもレンズを通して光が入射するように、その先端部に開口部２００ａが設けられている。すなわち、コンバーターレンズ２００を装着したカメラ１００には、レンズキャップ２０１を装着した遮光時においても、開口部２００ａから光が入射される。なお、開口部２００ａは、図２に示すように切り欠きとしてもよく、防塵のために透明部材をあてがってもよい。
【００１４】
本実施の形態では、コンバーターレンズ検出部１０４ａは、この開口部２００ａから入射される光の像に基づいて画像内に現れる画像パターンを検出する。そして、検出した画像パターンに基づいて、カメラ１００にコンバーターレンズ２００が装着されているか否かを判断する。すなわち、あらかじめ、コンバーターレンズ２００がカメラに装着された場合に開口部２００ａから入力される光の像に基づく画像パターンの画像データをフラッシュメモリに記録しておく。そして、コンバーターレンズ検出部１０４ａは、検出した画像パターンが、フラッシュメモリに記録されている画像パターンと一致するか否かを判定し、一致する場合には、カメラ１００にコンバーターレンズ２００が装着されていると判断する。
【００１５】
なお、コンバーターレンズの種類として広角撮影用のワイドコンバーターレンズと、望遠撮影用のテレコンバーターレンズの２種類がある場合には、それぞれのコンバーターレンズを装着した場合に検出される画像パターンは、それぞれのレンズの倍率の違いにより異なるものとなる。よって、コンバーターレンズ検出部１０４ａは、検出した画像パターンの違いに基づいて、カメラ１００に装着されているコンバーターレンズ２００がワイドコンバーターレンズであるか、テレコンバーターレンズであるかを判定することができる。
【００１６】
さらに、本実施の形態では、コンバーターレンズ２００の先端部に設ける開口部２００ａの数をコンバーターレンズの種類ごとに変更する。これによって、ワイドコンバーターレンズ同士、あるいはテレコンバーターレンズ同士でも、画像内から検出される画像パターンは、その種類によって異なることになる。よって、コンバーターレンズ検出部１０４ａは、検出した画像パターンの違いに基づいて、カメラ１００に装着されているコンバーターレンズ２００の種類を判定することができる。
【００１７】
例えば、ワイドコンバーターレンズの先頭部には、図３（ａ）に示すように３つの開口部２００ａを設けておく。この場合には、ワイドコンバーターレンズによって広角撮影が行われることから、図３（ｂ）に示すように、３つの開口部２００ａから入射された光の像が画像の外側部分に現れた画像パターンが得られる。また、テレコンバーターレンズの先頭部には、図３（ｃ）に示すように４つの開口部２００ａを設けておく。この場合には、テレコンバーターレンズによって望遠撮影が行われることから、図３（ｄ）に示すように、４つの開口部２００ａから入射された光の像が画像の内側部分に現れた画像パターンが得られる。
【００１８】
本実施の形態では、図３（ｂ）に示した画像パターンのデータを、カメラ１００に装着するデフォルトのワイドコンバーターレンズが装着された場合の画像パターンとしてフラッシュメモリに記録しておく。また、開口部２００ａの数が異なる他のワイドコンバーターレンズ用の画像パターンのデータもフラッシュッメモリに記録しておく。同様に、図３（ｄ）に示した画像パターンのデータを、カメラ１００に装着するデフォルトのテレコンバーターレンズが装着された場合の画像パターンとしてフラッシュメモリに記録しておく。また、開口部２００ａの数が異なる他のテレコンバーターレンズ用の画像パターンのデータもフラッシュッメモリに記録しておく。
【００１９】
コンバーターレンズ検出部１０４ａは、画像内から図３（ｂ）に示した画像パターンが検出された場合には、カメラ１００にはデフォルトのワイドコンバーターレンズが装着されているものと判定する。これに対して、コンバーターレンズ検出部１０４ａは、画像内から他の画像パターンが検出され、その画像パターンが、画像内のワイドコンバーター検出領域、すなわち画像の外側部分に現れている場合には、デフォルト以外のワイドコンバーターレンズが装着されているものと判定し、その検出された画像パターンと一致する画像パターンに対応する種類のワイドコンバーターレンズが装着されているものと判定する。
【００２０】
また、コンバーターレンズ検出部１０４ａは、画像内から図３（ｄ）に示した画像パターンが検出された場合には、デフォルトのテレコンバーターレンズがカメラ１００に装着されているものと判定する。これに対して、コンバーターレンズ検出部１０４ａは、画像内から他の画像パターンが検出され、その画像パターンが、画像内のテレコンバーター検出領域、すなわち画像の内側部分に現れている場合には、デフォルト以外のテレコンバーターレンズが装着されているものと判定し、その検出された画像パターンと一致する画像パターンに対応する種類のテレコンバーターレンズが装着されているものと判定する。
【００２１】
なお、コンバーターレンズ検出部１０４ａは、コンバーターレンズ２００の開口部２００ａから確実に光が入射するようにするために、撮像時にカメラ１００が備える発光部を発光させる。例えば、カメラ１００がＡＦ（オートフォーカス）の補助光を照射させるライトを搭載している場合には、当該ライトを発光させてＡＦ補助光を照射する。また、カメラ１００がフラッシュやセルフタイマーライトを備えている場合には、これらを発光させるようにしてもよい。
【００２２】
カメラ設定部１０４ｂは、コンバーターレンズ検出部１０４ａによって判定された種類のコンバーターレンズを用いた撮影に適した撮影条件となるように、カメラ１００の設定を変更する。例えば、カメラ設定部１０４ｂは、装着されているコンバーターレンズがテレコンバーターレンズである場合には、取得した画像に対してひずみ補正を施す際に用いる画像処理パラメータのパラメータ値を、装着されているテレコンバーターレンズの種類に応じた値に設定する。また、カメラ設定部１０４ｂは、装着されているコンバーターレンズがワイドコンバーターレンズである場合には、接続されているワイドコンバーターレンズの種類に応じて、レンズ鏡筒１０２の撮影光学系がズーム可能なズームポジションに制限をかける。
【００２３】
なお、コンバーターレンズの種類に応じたカメラ１００の設定内容については、コンバーターレンズの種類ごとにあらかじめ設定されている。また、カメラ設定部１０４ｂは、画像ファイルのＥｘｉｆ情報に記録するコンバーターレンズに関する情報を、装着しているコンバーターレンズ２００に関する情報に設定する。
【００２４】
図４は、本実施の形態におけるカメラ１００の処理を示すフローチャートである。図４に示す処理は、カメラ１００の電源がオンされると起動するプログラムとして、制御装置１０４によって実行される。このプログラムは制御装置１０４に記憶されている。
【００２５】
ステップＳ１０において、コンバーターレンズ検出部１０４ａは、ＡＦ補助光の発光を開始して、ステップＳ２０へ進む。ステップＳ２０では、コンバーターレンズ検出部１０４ａは、上述したように、撮像素子１０３から入力される画像信号に基づいて画像を生成し、画像の中央部に高輝度の画素が存在するか否かを判断する。肯定判断した場合には、ステップＳ３０へ進む。
【００２６】
ここで、カメラ１００にコンバーターレンズ２００が装着されており、かつコンバーターレンズ２００にレンズキャップ２０１が取り付けられている場合には、図３（ｂ）および（ｄ）に示したように、得られる画像の中央部付近の画素は輝度が低くなる。よって、もし得られた画像の中央部に高輝度の画素が存在する場合には、コンバーターレンズ２００にレンズキャップ２０１が取り付けられていない可能性がある。よって、ステップＳ３０では、コンバーターレンズ検出部１０４ａは、モニタ１０６に「キャップを付けて下さい」というようなメッセージを表示して、使用者にコンバーターレンズ２００へのレンズキャップ２０１の取り付けを促す。その後、ステップＳ４０へ進む。
【００２７】
ステップＳ４０では、コンバーターレンズ検出部１０４ａは、モニタ１０６に上記メッセージを表示してからあらかじめ設定されている所定時間が経過したか否かを判断する。肯定判断した場合には、処理をタイムアウトさせる。すなわち、ステップＳ５０へ進み、コンバーターレンズ検出部１０４ａは、使用者に対して、カメラ１００を装着中のコンバーターレンズ２００に応じて手動で設定するように促すために、モニタ１０６にメッセージを表示して、ステップＳ６０へ進む。ステップＳ６０では、コンバーターレンズ検出部１０４ａは、ＡＦ補助光の発光を停止した後、処理を終了する。一方、ステップＳ４０で否定判断した場合には、ステップＳ２０へ戻り、上述の処理を繰り返す。
【００２８】
一方、ステップＳ２０で否定判断した場合には、ステップＳ７０へ進む。ステップＳ７０では、コンバーターレンズ検出部１０４ａは、画像内のワイドコンバーター検出領域、すなわちすなわち図３（ｂ）に示したように、画像の外側部分に画像パターンがあるか否かを判断する。肯定判断した場合には、ステップＳ８０へ進み、コンバーターレンズ検出部１０４ａは、検出した画像パターンが画像内の特定の範囲のみに存在しているか否か、すなわち上述したように、画像パターンがデフォルトのワイドコンバーターレンズ用の画像パターンと一致するか否かを判断する。肯定判断した場合には、ステップＳ９０へ進む。
【００２９】
ステップＳ９０では、カメラ設定部１０４ｂは、カメラ１００の設定をデフォルトのワイドコンバーターレンズ用の設定に変更する。例えば、カメラ設定部１０４ｂは、上述したように、レンズ鏡筒１０２の撮影光学系がズーム可能なズームポジションに制限をかけたり、画像ファイルのＥｘｉｆ情報に記録するコンバーターレンズに関する情報を、デフォルトのワイドコンバーターレンズに関する情報に設定したりする。その後、上述したステップＳ６０へ進む。
【００３０】
これに対して、ステップＳ８０で否定判断した場合には、ステップＳ１００へ進み、コンバーターレンズ検出部１０４ａは、画像内に含まれる画像パターンの数を判定する。これによって、コンバーターレンズ２００の先端部分に設けられている開口部２００ａの数を特定することができ、カメラ１００に装着されているワイドコンバーターレンズの種類を判定することができる。その後、ステップＳ１１０へ進み、カメラ設定部１０４ｂは、カメラ１００の設定を画像パターンの数に応じたワイドコンバーターレンズ用の設定に変更して、上述したステップＳ６０へ進む。
【００３１】
次に、ステップＳ７０で否定判断した場合の処理について説明する。この場合には、ステップＳ１２０へ進み、コンバーターレンズ検出部１０４ａは、画像内のテレコンバーター検出領域、すなわち図３（ｄ）に示したように、画像の内側部分に画像パターンがあるか否かを判断する。否定判断した場合には、カメラ１００にはコンバーターレンズ２００が装着されていないか、あるいは先端部分に開口部２００ａを備えていないコンバーターレンズが装着されている可能性があるため、上述したステップＳ６０へ進む。
【００３２】
これに対して、肯定判断した場合には、ステップＳ１３０へ進み、コンバーターレンズ検出部１０４ａは、検出した画像パターンが画像内の特定の範囲内のみに存在しているか否か、すなわち上述したように、検出した画像パターンがデフォルトのテレコンバーターレンズ用の画像パターンと一致するか否かを判断する。肯定判断した場合には、ステップＳ１４０へ進む。
【００３３】
ステップＳ１４０では、カメラ設定部１０４ｂは、カメラ１００の設定をデフォルトのテレコンバーターレンズ用の設定に変更する。例えば、カメラ設定部１０４ｂは、上述したように、取得した画像に対してひずみ補正を施す際に用いる画像処理パラメータのパラメータ値を、デフォルトのテレコンバーターレンズの種類に応じた値に設定したり、画像ファイルのＥｘｉｆ情報に記録するコンバーターレンズに関する情報を、デフォルトのテレコンバーターレンズに関する情報に設定したりする。その後、上述したステップＳ６０へ進む。
【００３４】
これに対して、ステップＳ１３０で否定判断した場合には、ステップＳ１５０へ進み、コンバーターレンズ検出部１０４ａは、画像内に含まれる画像パターンの数を判定する。これによって、コンバーターレンズ２００の先端部分に設けられている開口部２００ａの数を特定することができ、カメラ１００に装着されているテレコンバーターレンズの種類を判定することができる。その後、ステップＳ１６０へ進み、カメラ設定部１０４ｂは、カメラ１００の設定を画像パターンの数に応じたテレコンバーターレンズ用の設定に変更して、上述したステップＳ６０へ進む。
【００３５】
以上説明した本実施の形態によれば、以下のような作用効果を得ることができる。
（１）コンバーターレンズ検出部１０４ａは、撮像素子１０３から入力される画像信号に基づいて画像データを生成し、画像データに対応する画像内に含まれる画像パターンに基づいて、カメラ１００へのコンバーターレンズ２００の装着の有無を判定した。カメラ設定部１０４ｂは、コンバーターレンズ２００が装着されていると判定された場合には、コンバーターレンズ２００を用いた撮影に適した撮影条件となるように、カメラ１００を設定するようにした。これによって、コンバーターレンズの装着の有無に応じて、カメラの設定を自動的に変更することができる。
【００３６】
（２）コンバーターレンズ検出部１０４ａは、コンバーターレンズ２００が装着されていると判断した場合に、装着されているワイドコンバーターレンズ２００が、テレコンバーターレンズであるか、あるいはワイドコンバーターレンズであるかを判定し、カメラ設定部１０４ｂは、コンバーターレンズ検出部１０４ａによる判定結果に基づいて、カメラに装着されているコンバーターレンズの種類に応じた設定を行うようにした。これによって、装着されているコンバーターレンズ２００の種類に応じて、カメラの設定を自動的に行うことができる。
【００３７】
（３）画像パターンは、コンバーターレンズ２００の遮光時にも光学系を通して光が入射するようにコンバーターレンズ２００の先端部分に設けられた開口部を通して入射される光によって画像内に現れるパターンであるようにした。これによって、コンバーターレンズ２００の先端部分に、その種類に応じた開口部２００ａを設けるだけで、本発明を実現することができる。
【００３８】
（４）コンバーターレンズ検出部１０４ａは、撮像時にＡＦ補助光などを発光させるようにした。これによって、コンバーターレンズ２００の開口部２００ａから確実に光が入射するようにすることができる。
【００３９】
―変形例―
なお、上述した実施の形態のカメラは、以下のように変形することもできる。
（１）上述した実施の形態では、コンバーターレンズ検出部１０４ａがカメラ１００にコンバーターレンズ２００が装着されていることを検出した場合には、カメラ設定部１０４ｂがその検出結果に基づいて、カメラ１００の設定を自動的に変更する例について説明した。しかしながら、コンバーターレンズ検出部１０４ａがカメラ１００にコンバーターレンズ２００が装着されていることを検出した場合には、その旨をモニタ１０６に表示するようにしてもよい。これによって、使用者は、カメラ１００にコンバーターレンズ２００が装着されていることを画面上で確認することができる。
【００４０】
（２）または、コンバーターレンズ検出部１０４ａがカメラ１００にコンバーターレンズ２００が装着されていることを検出した場合には、装着されているコンバーターレンズ２００に適した設定にカメラの設定を変更するように促すためのメッセージをモニタ１０６表示してもよい。これによって、使用者のカメラ１００の設定変更忘れを防ぐことができる。
【００４１】
（３）上述した実施の形態では、撮影した画像内に現れる画像パターンに基づいてカメラ１００へのコンバーターレンズ２００の装着有無、および装着されているコンバーターレンズ２００の種類を判定する例について説明した。このとき、ワイドコンバーターレンズが装着されている場合、撮影光学系の焦点距離が短いときには、画像内に画像パターンが現れない可能性がある。よって、コンバーターレンズ検出部１０４ａは、画像の撮影時に撮影光学系の焦点距離を、少なくともワイドコンバーターレンズが装着されている場合に画像内に画像パターンが現れるような値に自動的に設定するようにしてもよい。これによって、ワイドコンバーターレンズが装着されている場合に、その検出が失敗することを防ぐことができる。また、ワイドコンバーターレンズが装着されている場合に画像内に画像パターンが現れるように焦点距離を設定しておけば、仮にテレコンバーターレンズが装着された場合であっても画像内には画像パターンが現れるため、テレコンバーターレンズが装着されている場合にも検出に失敗することはない。
【００４２】
（４）上述した実施の形態では、画像の撮影時にＡＦ補助光などを発光させる例について説明した。しかしながら、ＡＦ補助光は、必ずしも発光させなくてもよい。例えば、コンバーターレンズ検出部１０４ａは、まず、ＡＦ補助光を発光させずにコンバーターレンズ２００の装着有無の判定を行う。その結果、コンバーターレンズ２００が装着されていないと判断した場合には、ＡＦ補助光を発光させて、再度コンバーターレンズ２００の装着有無の判定を行うようにしてもよい。また、ＡＦ補助光を発光させて、再度コンバーターレンズ２００の装着有無の判定を行ったにも関わらず、コンバーターレンズ２００が装着されていないと判断した場合には、モニタ１０６にエラーメッセージを表示して使用者に通知するようにしてもよい。
【００４３】
（５）上述した実施の形態では、レンズキャップ２０１を装着した遮光時でもレンズを通して光が入射するように、コンバーターレンズ２００の先端部に開口部２００ａが設ける例について説明した。しかしながら、レンズキャップ２０１の外周に開口部を設けることによって、レンズキャップ２０１を装着した遮光時でもレンズを通して光が入射するようにしてもよい。また、図３に示したように、コンバーターレンズ２００の先端部に開口部２００ａに間隔を空けて複数の開口部２００ａを設ける例について説明したが、コンバーターレンズ２００の先端部の全周を透明部材で構成するようにしてもよい。あるいは、レンズキャップ２０１の外周全部を透明部材で構成するようにしてもよい。
【００４４】
（６）上述した実施の形態では、カメラ１００には、テレコンバーターレンズ、およびワイドコンバーターレンズのそれぞれを装着可能である場合について説明した。しかしながら、カメラ１００にテレコンバーターレンズしか装着できない場合には、コンバーターレンズ検出部１０４ａは、撮影した画像の中心部から所定の範囲内だけを対象として画像パターンの検出を行なうようにしてもよい。そして、コンバーターレンズ検出部１０４ａは、当該範囲内で画像パターンが検出されれば、テレコンバーターレンズが装着されているものと判定し、当該範囲内で画像パターンが検出されなければ、テレコンバーターレンズは装着されていないと判定するようにしてもよい。
【００４５】
（７）上述した実施の形態では、コンバーターレンズ検出部１０４ａは、撮影した画像内から光の像によって現れる画像パターンを検出し、この画像パターンに基づいて、カメラ１００へのコンバーターレンズの装着有無、および装着されているコンバーターレンズの種類を判定する例について説明した。しかしながら、レンズ鏡筒１０２内にコンバーターレンズ２００の開口部２００ａから入射される光を検出するための測光センサーを設け、この測光センサーからの出力信号に基づいて、カメラ１００へのコンバーターレンズの装着有無、および装着されているコンバーターレンズの種類を判定するようにしてもよい。
【００４６】
なお、上述した実施の形態と複数の変形例を組み合わせることにしてもよい。また、本発明の特徴的な機能を損なわない限り、本発明は、上述した実施の形態における構成に何ら限定されない。
【図面の簡単な説明】
【００４７】
【図１】カメラの一実施の形態の構成を示すブロック図である。
【図２】カメラ１００にコンバーターレンズ２００を取り付けた状態を示した図である。
【図３】コンバーターレンズに設けられた開口部の具体例、および検出される画像パターンの具体例を示す図である。
【図４】カメラ１００の処理を示すフローチャート図である。
【符号の説明】
【００４８】
１００  カメラ、１０１  操作部材、１０２  レンズ鏡筒、１０３  撮像素子、１０４  制御装置、１０４ａ  コンバーターレンズ検出部、１０４ｂ  カメラ設定部、１０５  メモリカードスロット、１０６  モニタ、２００  コンバーターレンズ、２０１  レンズキャップ
【図１】
2009093103.tif 000003
【図２】
2009093103.tif 000004
【図３】
2009093103.tif 000005
【図４】
2009093103.tif 000006